(57)【特許請求の範囲】
【請求項１】
投写型表示装置であって、
画像を投写表示する投写光学部と、
前記画像の処理に係わるユーザーの行為を認識する認識部と、
前記認識部が認識した前記ユーザーの行為に基づいて、描画画像の生成・編集を行うと共に、前記描画画像の背景画像である基画像を前記描画画像に重畳して編集画像を生成し、該編集画像を投写表示画像として前記投写光学部を用いて投写表示する制御部と、
前記投写表示画像として用いた前記編集画像を記憶する記憶部と
を一の筐体内に備え、
前記筐体とは別体として、当該投写型表示装置を操作するための操作パネルを備え、
前記操作パネルは、前記筐体と所定の接続手段によって接続されるとともに、前記編集画像を外部に出力させる
投写型表示装置。
【請求項２】
投写型表示装置であって、
画像を投写表示する投写光学部と、
前記画像の処理に係わるユーザーの行為を認識する認識部と、
前記認識部が認識した前記ユーザーの行為に基づいて、描画画像の生成・編集を行うと共に、前記描画画像の背景画像である基画像を前記描画画像に重畳して編集画像を生成し、該編集画像を投写表示画像として前記投写光学部を用いて投写表示する制御部と、
前記投写表示画像として用いた前記編集画像を記憶する記憶部と
を一の筐体内に備え、
前記筐体とは別体として、当該投写型表示装置を操作するための操作パネルを備え、
前記操作パネルは、前記筐体と所定の接続手段によって接続されるとともに、前記編集画像の入出力を前記投写型表示装置に指示する
投写型表示装置。
【請求項３】
請求項１または請求項２記載の投写型表示装置であって、さらに、
前記編集画像を外部に出力する出力部を前記筐体内に備える投写型表示装置。
【請求項４】
請求項１から請求項３のいずれか一項に記載の投写型表示装置であって、さらに、
外部からデータを入力する入力部を備え、
前記制御部は、該入力したデータから前記基画像を取得する
投写型表示装置。
【請求項５】
請求項１から請求項４のいずれか一項に記載の投写型表示装置であって、さらに、
外部からデータを入力する入力部を備え、
前記制御部は、該入力したデータから画像を取得すると共に、該取得した画像を前記編集画像の一部に適用し、前記取得した画像と前記描画画像とを用いて前記編集画像を生成することによって、前記取得した画像を前記編集画像の一部を構成する画像である素材画像として用いる
投写型表示装置。
【請求項６】
請求項１から請求項５のいずれか一項に記載の投写型表示装置であって、さらに、
前記編集画像を編集する一または複数の編集機能をユーザーが指定するための指定部であるツール指定部と、
ユーザーが前記ツール指定部から指定した一または複数の前記編集機能に基づいて、前記編集画像の編集を行うツール制御部と
を前記筐体内に備える投写型表示装置。
【請求項７】
請求項１から請求項６のいずれか一項に記載の投写型表示装置であって、さらに、
当該投写型表示装置の起動時に動作する機能の組み合わせである起動モードを、ユーザーが指定するための指定部である起動モード指定部と、
ユーザーが前記起動モード指定部から特定の起動モードを指定した場合に、前記起動時に、前記認識部と前記制御部と前記記憶部とを動作させる起動制御部と
備える投写型表示装置。
【請求項８】
前記記憶部は、電源遮断時に前記記憶した編集画像を消去する請求項１から請求項７のいずれか一項に記載の投写型表示装置。
【請求項９】
前記記憶部は、電源遮断後も前記記憶した編集画像を保持する請求項１から請求項７のいずれか一項に記載の投写型表示装置。
【発明の詳細な説明】
【技術分野】
【０００１】
本発明は、投写型表示装置の技術に関する。
【背景技術】
【０００２】
従来、会議など複数人でディスカッションを行う際、ホワイトボードにペンで描画を行い議論を活性化させるといったことが行われている。また、ホワイトボードに描いた描画画像を、カメラや当該ホワイトボードと一体として備えるスキャナーで読み取り、プリンターで印刷したり、メモリーに保存するなどして、描画画像を保存することが行われている。最近では、カメラやセンサーなどによる描画画像の取り込み機能をプロジェクターと連携させ、さらに、ホワイトボード機能を有するアプリケーションをＰＣ（パーソナル・コンピューター）上で動作させ、ホワイトボードの機能をプロジェクターを使って実現することも行われている。
【先行技術文献】
【特許文献】
【０００３】
【特許文献１】特開２００４−２３９９６７号公報
【発明の概要】
【発明が解決しようとする課題】
【０００４】
しかし、プロジェクターを用いてホワイトボード機能を実現する場合、常にＰＣを用意する必要があり、手間や時間がかかるといった課題があった。また、複数人が持ち込んだ各ＰＣ上でそれぞれ異なる描画を行う場合、プロジェクターと接続するＰＣを切り替えながら行わなければならず、かつ、それらの各ＰＣにホワイトボード機能付きのアプリケーションがインストールされていなければならないといった課題があった。また、各ＰＣ上で描画した画像を保存する場合、当該描画を行った各ＰＣに保存されることとなり、各ＰＣで描画した画像を参加者で共有するには、描画済みデータの配布など煩雑な手間を要した。本発明は、上述した従来の課題を解決するためになされたものであり、ホワイトボード機能を利用した会議において必要となる機能を、プロジェクター単体で実現することを目的とする。
【課題を解決するための手段】
【０００５】
本発明は、上述の課題の少なくとも一部を解決するためになされたものであり、以下の形態として実現することが可能である。
（１）本発明の一形態によれば、投写型表示装置が提供される。この投写型表示装置は、画像を投写表示する投写光学部と；前記画像の処理に係わるユーザーの行為を認識する認識部と；前記認識部が認識した前記ユーザーの行為に基づいて、描画画像の生成・編集を行うと共に、前記描画画像の背景画像である基画像を前記描画画像に重畳して編集画像を生成し、該編集画像を投写表示画像として前記投写光学部を用いて投写表示する制御部と；前記投写表示画像として用いた前記編集画像を記憶する記憶部と；を一の筐体内に備える。この形態の投写型表示装置によれば、基画像に描画画像を重畳して編集画像を生成し投写表示する機能と、投写表示に用いた編集画像を記憶する機能とを、投写型表示装置としての筐体内に備える。従って、これらの機能を有する他の装置を別途用意する必要がない。また、この投写型表示装置の記憶部を介して、複数のユーザーで編集画像のデータを共有することができる。
【０００６】
（２）上記形態の投写型表示装置において、さらに、前記編集画像を外部に出力する出力部を前記筐体内に備えるものとしてもよい。この形態の投写型表示装置によると、投写表示画像として用いた編集画像を外部に出力することができる。従って、編集画像を外部に出力する機能を有する他の装置を別途用意する必要がない。
【０００７】
（３）上記形態の投写型表示装置において、さらに、外部からデータを入力する入力部を備え；前記制御部は、該入力したデータから前記基画像を取得するものとしてもよい。この形態の投写型表示装置によると、外部から入力したデータから基画像を取得し編集画像を生成する処理を、当該投写型表示装置のみで行うことができる。
【０００８】
（４）上記形態の投写型表示装置において、さらに、外部からデータを入力する入力部を備え；前記制御部は、該入力したデータから画像を取得すると共に、該取得した画像を前記編集画像の一部に適用し、前記取得した画像と前記描画画像とを用いて前記編集画像を生成することによって、前記取得した画像を前記編集画像の一部を構成する画像である素材画像として用いるものとしてもよい。この形態の投写型表示装置によると、外部から入力したデータから素材画像を取得し編集画像を生成する処理を、当該投写型表示装置のみで行うことができる。
【０００９】
（５）上記形態の投写型表示装置において、さらに、前記編集画像を編集する一または複数の編集機能をユーザーが指定するための指定部であるツール指定部と；ユーザーが前記ツール指定部から指定した一または複数の前記編集機能に基づいて、前記編集画像の編集を行うツール制御部と；を前記筐体内に備えるものとしてもよい。この形態の投写型表示装置によると、ユーザーがツール指定部から指定した編集機能に基づいて編集画像の編集を行う処理を当該投写型表示装置のみで行うことができ、上記編集機能を有する装置を別途用意する必要がない。
【００１０】
（６）上記形態の投写型表示装置において、さらに、当該投写型表示装置の起動時に動作する機能の組み合わせである起動モードを、ユーザーが指定するための指定部である起動モード指定部と；ユーザーが前記起動モード指定部から特定の起動モードを指定した場合に、前記起動時に、前記認識部と前記制御部と前記記憶部とを動作させる起動制御部と；を備えるものとしてもよい。この形態の投写型表示装置によると、ユーザーの指定によって、認識部と制御部と記憶部とを起動モードとして動作させることができる。
【００１１】
（７）上記形態の投写型表示装置において、前記記憶部は、電源遮断時に前記記憶した編集画像を消去するものとしてもよい。この形態の投写型表示装置によると、電源遮断時に記憶した編集画像を消去するので、例えば、再度の電源投入時に、以前に生成した編集画像の内容を他人に知られることを防ぐことができ、セキュリティー確保といった効果を得ることができる。
【００１２】
（８）上記形態の投写型表示装置において、前記記憶部は、電源遮断後も前記記憶した編集画像を保持するものとしてもよい。この形態の投写型表示装置によると、再度の電源投入時に、以前に生成した編集画像を、再度、用いることができる。
【００１３】
（９）上記形態の投写型表示装置において、前記筐体とは別体として、当該投写型表示装置を操作するための別体操作部を備え、前記別体操作部は、前記筐体と所定の接続手段によって接続されるとともに、前記編集画像を外部に出力する別体出力部、所定の画像を含むデータを外部から入力する別体入力部、前記編集画像の入出力をユーザーが指示するための別体入出力指示部の少なくともいずれか一つを備えるものとしてもよい。この形態の投写型表示装置によると、ユーザーは、別体操作部を用いて投写型表示装置の操作を行うことができる。
【００１４】
なお、本発明は、種々の態様で実現することが可能である。例えば、電子黒板装置、電子黒板システム、会議装置、会議システム、画像投写表示方法、画像投写表示プログラムなどの形態で実現することができる。
【図面の簡単な説明】
【００１５】
【図１】投写表示システムの構成を示す説明図である。
【図２】プロジェクターの構成を概略的に示すブロック図である。
【図３】操作パネルの構成を示す説明図である。
【図４】起動制御処理の流れを示すフローチャートである。
【図５】ＷＢ用表示画像ＤＳＰを示す説明図である。
【図６】ＷＢモード処理の流れを示すフローチャートである。
【図７】基画像設定処理の流れを示すフローチャートである。
【図８】編集画像生成処理の流れを示すフローチャートである。
【図９】画像記憶処理の流れを示すフローチャートである。
【図１０】出力制御処理の流れを示すフローチャートである。
【発明を実施するための形態】
【００１６】
Ａ．第１実施形態：
（Ａ１）システム構成：
図１は、本発明の第１実施形態としてのプロジェクター２０を用いた投写表示システム１０の構成を説明する説明図である。投写表示システム１０は、プロジェクター２０と、プロジェクター２０の操作を行うための操作パネル７０と、コンピューターＰＣと、プリンターＰＲと、サーバー装置ＳＶとを備える。プロジェクター２０と操作パネル７０とは専用のケーブルＣＶで接続されている。プリンターＰＲは、操作パネル７０を介してプロジェクター２０と接続されている。また、操作パネル７０には、外部記憶装置としてのフラッシュメモリーＭＲが接続されている。プロジェクター２０は、操作パネル７０を介して、フラッシュメモリーＭＲとデータの入出力を行う。コンピューターＰＣおよびサーバー装置ＳＶは、各々、無線ＬＡＮ（図示省略）を介してプロジェクター２０と接続されている。サーバー装置ＳＶはインターネットＩＮＴなどの外部ネットワークと接続されており、プロジェクター２０はサーバー装置ＳＶを介してＩＮＴと接続可能である。
【００１７】
プロジェクター２０は壁掛け式の短焦点型のプロジェクターであり、近距離に設置されたスクリーンＳＣＲに画像を投写表示する。以下、プロジェクター２０によって投写表示された画像を表示画像とも呼ぶ。プロジェクター２０は、外部から入力した動画や静止画像を、表示画像として投写表示する一般的なプロジェクターとしての機能を有する。以下、このような一般的な機能として動作するプロジェクター２０の動作モードを、ノーマルモード（ＮＭＬモード）とも呼ぶ。さらに、プロジェクター２０は、いわゆる電子黒板としての機能を有し、スクリーンＳＣＲに対してユーザーが行った描画行為を認識し、その描画行為に対応した描画画像をスクリーンＳＣＲに表示画像として投写表示する機能を有する。以下、このような電子黒板機能として動作するプロジェクター２０の動作モードをホワイトボードモード（ＷＢモード）と呼ぶ。ＷＢモードで動作する場合、プロジェクター２０は、先端から赤外線を発するペン（以下、赤外線ペンＰとも呼ぶ）を用いてユーザーがスクリーンＳＣＲに対して行った動作（以下、描画行為とも呼ぶ）を、後述するカメラ５４で認識し、その描画行為に対応した描画画像をスクリーンＳＣＲに投写表示する。
【００１８】
図２は、プロジェクター２０の構成を概略的に説明するブロック図である。プロジェクター２０は、ＣＰＵ２２、ＥＥＰＲＯＭ４２、ＲＡＭ４５、ＲＯＭ４６、操作部４８、入力インターフェース（入力ＩＦ）５０、出力インターフェース（出力ＩＦ）５２、カメラ５４、投写光学部５６、本体側接続インターフェース（本体側接続ＩＦ）５８を備える。これらの構成は、バス２１によって互いに接続されている。
【００１９】
ＣＰＵ２２は、プロジェクター２０全体の動作を制御するために、ＣＰＵ２２は、描画認識部２４、描画画像生成部２６、編集画像生成部２８、ツール制御部３０、画像入力処理部３２、表示画像制御部３８、画像記憶処理部３９、出力制御部４０、起動制御部４１を備える。さらに、画像入力処理部３２は、静止画像取得部３４と、フレーム画像取得部３６とを備える。ＣＰＵ２２が備えるこれら機能部は、ＲＯＭ４６に記憶されたプログラムを、ＣＰＵ２２が読み込んで実行することによって実現される。これら機能部については後で詳しく説明する。
【００２０】
ＥＥＰＲＯＭ４２は、画像記憶部４４を備え、ＣＰＵ２２が上記各機能部として動作した際に、必要に応じて画像を記憶する。操作部４８は、プロジェクター２０の電源スイッチ、入力ソースの切り替えスイッチなど、ユーザーがプロジェクター２０を操作する際に用いる操作機構を備える。
【００２１】
入力ＩＦ５０は、動画データ再生装置ＭＶ（例えばＤＶＤ）、フラッシュメモリーＭＲ、デジタルカメラＣＭ、スキャナーＳＣＮ、サーバー装置ＳＶ、コンピューターＰＣなど、データ出力装置から出力された画像データを入力する複数の入力機構を備える。出力ＩＦ５２は、フラッシュメモリーＭＲや、プリンターＰＲ、サーバー装置ＳＶなどのデータ受信機構を備えるデータ受信装置に向けて画像データを出力する複数の出力機構を備える。なお、説明の便宜上、入力ＩＦ５０や出力ＩＦ５２は別個のものとして図示したが、ＵＳＢ端子やＬＡＮ接続端子など、双方向にデータの送受信が可能な接続インターフェースは、一つの接続インターフェースで入力ＩＦ５０と出力ＩＦ５２の機能を有する。また、入力ＩＦ５０および出力ＩＦ５２と、コンピューターＰＣやサーバー装置ＳＶなどの間の接続は、有線に限らず、無線によって接続されているとしてもよい。無線による接続としては、無線ＬＡＮ、ブルートゥース（登録商標）、赤外線通信などの無線通信手段を採用することができる。
【００２２】
カメラ５４は、スクリーンＳＣＲおよびその近傍を所定のインターバルで撮像することにより、ユーザーが描画行為を行う際に用いる赤外線ペンＰが発する赤外線を検知する。検知した赤外線の軌跡に基づいて、ＣＰＵ２２が、描画認識部２４の機能として座標情報を取得し、描画画像生成部２６の機能として描画行為に対応した描画画像を生成する。その他、スクリーンＳＣＲとして機能する専用のボードによって、ユーザーの描画行為を認識するとしてもよい。具体的には、タッチパネルの機能を有する専用ボードとプロジェクター２０とが接続されており、ユーザーが専用ボード上に行った描画行為に対応する座標情報を描画認識部２４が取得し、取得した座標情報に基づいて描画画像生成部２６が描画画像を生成するとしてもよい。
【００２３】
投写光学部５６は、光源と、光源光をＲＧＢ光源に分光する分光部と、ＲＧＢ光源からの光を変調して表示画像を形成する液晶パネルと、液晶パネルで変調された光をスクリーンＳＣＲ上で結像させて表示画像を形成する複数のレンズとを備える（図示省略）。なお、ＲＧＢ光源を変調する機構としてデジタル・マイクロミラー・デバイス（ＤＭＤ）を用いるとしてもよい。
【００２４】
本体側接続ＩＦ５８は、操作パネル７０との接続に用いられる接続インターフェースである。操作パネル７０はプロジェクター２０との接続を行うために、ケーブルＣＶとパネル側接続ＩＦ７１とを備える。本体側接続ＩＦ５８とパネル側接続ＩＦ７１とが接続されることによって、プロジェクター２０と操作パネル７０とが接続され、データの送受信が可能となる。
【００２５】
図３は、操作パネル７０の構成を説明する説明図である。操作パネル７０は、パネル側接続ＩＦ７１、ケーブルＣＶ、接続端子７２、接続端子７３、入力ＩＦ７４、出力ＩＦ７５、ＮＭＬモード起動ボタン７６、ＷＢモード起動ボタン７８、入力ソース検出用ボタン８０、キャプチャ用ボタン８２、印刷ボタン８４、保存ボタン８６を備える。上述したように、パネル側接続ＩＦ７１は、プロジェクター２０の本体側接続ＩＦ５８と接続するための接続部である。接続端子７２および接続端子７３は、操作パネル７０の本体とケーブルＣＶとを脱着可能にする接続部である。本体側接続ＩＦ５８とパネル側接続ＩＦ７１との接続部、もしくは、接続端子７２と接続端子７３との接続部を分離することで、ユーザーは操作パネル７０をプロジェクター２０と分離して持ち運びすることが可能である。
【００２６】
入力ＩＦ７４は、図２において説明した入力ＩＦ５０と同様の機能を有する。同じく、出力ＩＦ７５は、出力ＩＦ５２（図２）と同様の機能を有する。入力ＩＦ７４、出力ＩＦ７５を介して入出力されたデータは、ケーブルＣＶおよびパネル側接続ＩＦ７１を介して、プロジェクター２０との間で送受信される。ＮＭＬモード起動ボタン７６は、プロジェクター２０を起動させるボタンであり、プロジェクター２０はＮＭＬモード起動ボタン７６の「ＯＮ」を検知するとＮＭＬモードを起動する。ＷＢモード起動ボタン７８も同じくプロジェクター２０を起動させるボタンであり、プロジェクター２０はＷＢモード起動ボタン７８の「ＯＮ」を検知するとＷＢモードを起動する。また、電源を「ＯＦＦ」にする場合には、ＮＭＬモード起動ボタン７６を操作して電源ＯＦＦにすることで、ＮＭＬモード、ＷＢモードのいずれのモードが起動していた場合も、プロジェクター２０の電源をＯＦＦにすることができる。
【００２７】
入力ソース検出用ボタン８０は、入力ＩＦ５０および入力ＩＦ７４に接続されているデータ出力装置から、入力可能なデータ元（入力ソース）が無いかの検索処理を、プロジェクター２０に行わせるための操作ボタンである。キャプチャ用ボタン８２は、プロジェクター２０が、動画データ再生装置ＭＶから動画データを取得して投写表示によって再生している際に、その１フレームの静止画像を取得させるための操作ボタンである。印刷ボタン８４は、投写表示中の表示画像または画像記憶部４４に記憶した画像を、プリンターＰＲを用いて印刷させるための操作ボタンである。保存ボタン８６は、投写表示中の表示画像を、画像データとして保存させるための操作ボタンである。ユーザーがこれら各操作ボタンを操作すると、各操作に対応した信号がケーブルＣＶおよびパネル側接続ＩＦ７１を介してプロジェクター２０に入力される。そして、プロジェクター２０のＣＰＵ２２は、受信した信号に対応した動作を行う。
【００２８】
（Ａ２）プロジェクター２０の動作：
次に、プロジェクター２０の動作について説明する。図４は、ユーザーがＮＭＬモード起動ボタン７６またはＷＢモード起動ボタン７８を操作してプロジェクター２０を起動した際に、ＣＰＵ２２が起動制御部４１の機能として行う起動制御処理の流れについて説明するフローチャートである。起動制御処理は、ユーザーがＮＭＬモード起動ボタン７６またはＷＢモード起動ボタン７８を操作することによって開始される。起動制御処理が開始されると、ＣＰＵ２２は、ユーザーが操作した起動ボタンがＮＭＬモード起動ボタン７６またはＷＢモード起動ボタン７８のいずれであるかを判断する（ステップＳ１０２）。ＣＰＵ２２は、ユーザーの操作した起動ボタンがＮＭＬモード起動ボタン７６である場合には（ステップＳ１０２：ＮＭＬ）、入力ＩＦ５０または入力ＩＦ７４に接続されているデバイスを巡回し、入力ソースの検索を行う（ステップＳ１０４）。検索の結果、入力ソースが検出されると（ステップ１０４：ＹＥＳ）、ＣＰＵ２２はＮＭＬモードを起動し（ステップＳ１０６）、その後、起動制御処理を終了する。
【００２９】
ＮＭＬモードでプロジェクター２０が起動した場合、ＣＰＵ２２は、検出した入力ソースから入力したデータに基づいて、表示画像を生成し、スクリーンＳＣＲに投写表示する。一方、ステップＳ１０２において、ユーザーの操作したボタンがＷＢモード起動ボタン７８で場合（ステップＳ１０２：ＷＢ）、または、ステップＳ１０４において入力ソースが検出されなかった場合（ステップＳ１０４：ＮＯ）には、ＣＰＵ２２はＷＢモードを起動し（ステップＳ１０８）、その後、起動制御処理を終了する。
【００３０】
次に、ＷＢモードにおけるプロジェクター２０の動作について説明する。図５は、ＷＢモードで起動した際に、プロジェクター２０がスクリーンＳＣＲに投写表示する表示画像（以下、ＷＢ用表示画像ＤＳＰとも呼ぶ）を示す説明図である。図５を用いてＷＢモードにおけるプロジェクター２０の大凡の動作を説明した後、フローチャートを用いて処理の詳細について説明する。図示するように、ＷＢ用表示画像ＤＳＰは、編集画像領域ＥＤＦと、素材画像表示領域ＭＴＦと、描画済画像領域ＲＳＦと、ツール表示領域ＴＬＦとから構成される。
【００３１】
編集画像領域ＥＤＦは、プレゼンテーション用の画像や写真など、ユーザーがスクリーンＳＣＲに投写表示する所望の画像（以下、基画像とも呼ぶ）を表示するための領域である。編集画像領域ＥＤＦに表示された基画像に対して、ユーザーは、赤外線ペンＰを用いて描画行為および編集行為を行うことが可能である。ユーザーが描画・編集を行うと、当該描画・編集を反映した画像（以下、編集画像とも呼ぶ）が、リアルタイムに編集画像領域ＥＤＦに表示される。
【００３２】
素材画像表示領域ＭＴＦは、外部から取り込んだ画像であって、編集画像の一部として利用可能な素材画像をサムネイル表示する領域である。ユーザーが描画または編集の際、素材画像表示領域ＭＴＦにサムネイル表示された素材画像の一つを赤外線ペンＰで選択すると、選択されてサムネイルに対応する素材画像が編集画像領域ＥＤＦに挿入される。ユーザーは挿入された素材画像を編集画像の一部として用いることができる。
【００３３】
描画済画像領域ＲＳＦは、ユーザーが描画および編集を完了した画像（以下、描画済画像とも呼ぶ）であって、画像記憶部４４に保存をした画像をサムネイル表示する領域である。描画済画像領域ＲＳＦに表示されるサムネイル画像をユーザーが赤外線ペンＰで選択すると、選択されたサムネイル画像に対応する描画済画像が編集画像領域ＥＤＦに表示され、再度の編集が可能となる。
【００３４】
ツール表示領域ＴＬＦは、描画および編集の際にユーザーが用いる編集機能（以下、ツールとも呼ぶ）に対応するアイコンを、ユーザーに選択可能に表示する領域である。ツールを示すアイコンとしては、「ペン」「毛筆」など、描画画像を構成する線画のタイプをユーザーに選択可能に表示するアイコン、線画の色を選択可能に表示するアイコン、予め画像記憶部４４に記憶された丸や三角や四角などの図形であって編集画像上に挿入可能な図形を示すアイコン、描画行為によって生成した線画を削除するための消しゴム機能を示すアイコンなど、描画・編集機能を有する一般的なアプリケーションが備えるツールを示すアイコンが表示される。
【００３５】
さらに、ツール表示領域ＴＬＦには、ツールを示すアイコンとして、編集画像領域ＥＤＦに表示する基画像を設定する機能を示す基画像設定アイコン、編集画像をメールで送信する機能を示すメール送信アイコン、編集画像領域ＥＤＦに表示されている編集画像を画像記憶部４４に記憶する機能を示す保存アイコン、編集画像をプロジェクター２０と接続されている外部記憶装置に記憶する機能を示す外部記憶アイコン、編集画像を印刷する機能を示す印刷アイコンが表示される。ユーザーが描画または編集を行う際に、ツール表示領域ＴＬＦに表示された各種アイコンを赤外線ペンＰで選択すると、選択されたアイコンに対応するツール機能が起動する。
【００３６】
次に、ＷＢモードにおいてＣＰＵ２２が行う処理（以下、ＷＢモード処理）について、フローチャートを用いて説明する。図６は、ＣＰＵ２２が行うＷＢモード処理の流れを示すフローチャートである。ＷＢモード処理は、起動制御処理（図４）におけるＷＢモードの起動（図４：ステップＳ１０８）によって開始される。ＣＰＵ２２はＷＢモードを開始すると、基画像設定処理を行う（ステップＳ１１０）。基画像設定処理とは、入力ＩＦ５０または入力ＩＦ７４を介して接続された入力ソースとしてのデバイスのうち、ユーザーが指定した入力ソースから画像を取得し、取得した画像を基画像として設定する処理である。基画像設定処理によって、編集画像領域ＥＤＦにユーザーが設定した基画像が表示されたＷＢ用表示画像ＤＳＰが、表示画像としてスクリーンＳＣＲに投写表示される。基画像設定処理については後で詳しく説明する。
【００３７】
基画像設定処理後、ＣＰＵ２２は、編集画像生成部２８の機能として、編集画像生成処理を行う（ステップＳ１３０）。編集画像生成処理とは、投写表示されたＷＢ用表示画像ＤＳＰ上の編集画像領域ＥＤＦに対して、ユーザーが赤外線ペンＰを用いて行う描画行為および編集行為に基づいて、ＣＰＵ２２が、編集画像を生成する処理である。編集画像生成処理については後で詳しく説明する。
【００３８】
編集画像生成処理後、ＣＰＵ２２は、生成した編集画像を用いて表示画像を生成する（ステップＳ１５２）。具体的には、ＣＰＵ２２は、生成した編集画像を編集画像領域ＥＤＦに表示したＷＢ用表示画像ＤＳＰを生成する。そして、ＣＰＵ２２は、生成したＷＢ用表示画像ＤＳＰを、表示画像として用いる。表示画像生成後、ＣＰＵ２２は、生成した表示画像をスクリーンＳＣＲに投写表示する（ステップＳ１５４）。
【００３９】
その後、ユーザーが基画像を再設定するために基画像設定アイコンを操作した場合には（ステップＳ１５５：ＹＥＳ）、ＣＰＵ２２は、ステップＳ１１０から処理を繰り返す。ユーザーが基画像設定アイコンを操作しない場合には（ステップＳ１５５：ＮＯ）、ＣＰＵ２２は、処理をステップＳ１５６に進める。
【００４０】
その後、ユーザーが、保存ボタン８６（図３参照）またはツールとしての保存アイコンを操作した場合には（ステップＳ１５６：ＹＥＳ）、ＣＰＵ２２は、画像記憶処理部３９の機能として、画像記憶処理を行う（ステップＳ１６０）。画像記憶処理については後で説明する。
【００４１】
また、ユーザーが印刷ボタン８４や、ツールとしてのメール送信アイコンや外部記憶アイコンを操作した場合には（ステップＳ１６５：ＹＥＳ）、ＣＰＵ２２は、プロジェクター２０の外部にデータを出力する処理として、出力制御部４０の機能として出力制御処理を行う（ステップＳ１７０）。出力制御処理については後で説明する。
【００４２】
ＣＰＵ２２は、ユーザーがＮＭＬモード起動ボタン７６を操作して電源をＯＦＦにするまで、ステップＳ１３０からステップＳ１７０の処理を繰り返し行う（ステップＳ１９２：ＮＯ）。ユーザーがＮＭＬモード起動ボタン７６を操作して電源をＯＦＦにした場合には（ステップＳ１９２：ＹＥＳ）、ＣＰＵ２２は、編集画像領域ＥＤＦに表示されている編集中の編集画像がステップＳ１５６によって保存されているか否かを確認する（ステップＳ１９４）。そして、編集中の編集画像が保存されていない場合には（ステップＳ１９４：ＮＯ）、ＣＰＵ２２は、編集画像を再編集可能なフォーマットで画像記憶部４４に記憶する（ステップＳ１９６）。その後、ＣＰＵ２２はプロジェクター２０の電源をＯＦＦにし（ステップＳ１９８）、ＷＢモード処理を終了する。
【００４３】
次に、基画像設定処理（図６：ステップＳ１１０）について説明する。図７は、ＣＰＵ２２が行う基画像設定処理の流れについて示したフローチャートである。ＣＰＵ２２は、基画像設定処理を開始すると、ユーザーが指定した入力ソースにアクセスし、入力ソースに記憶されている画像を含むデータを参照する（ステップＳ１１２）。具体的には、ユーザーが入力ソース検出用ボタン８０を操作することによって、ＣＰＵ２２が入力ＩＦ５０および入力ＩＦ７４を巡回し、各入力ＩＦに接続されているデバイスを検出する。本実施形態における入力ソースは、図２に示した動画データ再生装置ＭＶ、フラッシュメモリーＭＲ、デジタルカメラＣＭ、スキャナーＳＣＮ、コンピューターＰＣ、およびサーバー装置ＳＶを介して接続されているインターネット上のウェブサイトである。なお、入力ソースとして、予め種々の画像を記憶している画像記憶部４４を含めるとしてもよい。入力ソースの検出後、ＣＰＵ２２は、接続されている入力ソース（デバイス）を、ユーザーに選択可能に表示画像（例えば、ダイアログボックス）として投写表示する。ユーザーは、投写表示された入力ソースの中から所望の入力ソースを赤外線ペンＰを用いて選択する。ＣＰＵ２２は、ユーザーが指定した入力ソース（デバイス）にアクセスし、指定入力ソースに格納されているデータを参照する。
【００４４】
指定入力ソースの参照後、ＣＰＵ２２は、指定入力ソースのデータが静止画像であるか動画であるかを確認する（ステップＳ１１４）。ＣＰＵ２２は、指定入力ソースのデータが静止画像である場合には（ステップＳ１１４：ＹＥＳ）、静止画像取得部３４の機能として、指定入力ソースとしての静止画像を基画像に設定する（ステップＳ１１６）。そして、ＣＰＵ２２は、設定した基画像を編集画像領域ＥＤＦに表示したＷＢ用表示画像ＤＳＰを、表示画像として投写表示する（ステップＳ１１７）。その後、ＣＰＵ２２は、基画像設定処理を終了する。
【００４５】
一方、ステップＳ１１４において、指定入力ソースのデータが動画である場合には（ステップＳ１１４：ＮＯ）、指定入力ソースとしての動画を再生し投写表示する（ステップＳ１１８）。動画の再生表示は、編集画像領域ＥＤＦ上で行うとしてもよいし、動画再生専用の表示画像上で行うとしてもよい。本実施形態においては、動画再生専用の表示画像上で動画を再生表示する。
【００４６】
動画の再生表示中に、ユーザーがキャプチャ用ボタン８２を操作すると（ステップＳ１２０：ＹＥＳ）、ＣＰＵ２２は、フレーム画像取得部３６の機能として、再生表示している動画のうち、ユーザーがキャプチャ用ボタン８２を操作した時に投写表示している動画におけるフレーム画像を取得し、画像記憶部４４に格納する（ステップＳ１２２）。また動画再生中に、ユーザーがキャプチャ用ボタン８２を操作しない場合には（ステップＳ１２０：ＮＯ）、ＣＰＵ２２は、繰り返し動画を再生する。その他、動画の最初の画像をフレーム画像として取得するとしてもよい。フレーム画像を取得後、ＣＰＵ２２は、取得したフレーム画像を基画像に設定する（ステップＳ１２４）。そして、ＣＰＵ２２は、設定した基画像を編集画像領域ＥＤＦに表示したＷＢ用表示画像ＤＳＰを、表示画像として投写表示し（ステップＳ１１７）、基画像設定処理を終了する。
【００４７】
次に、ＣＰＵ２２が行う編集画像生成処理（図６：ステップＳ１３０）について説明する。図８は、ＣＰＵ２２が行う編集画像生成処理の流れを示したフローチャートである。編集画像生成処理を開始すると、ＣＰＵ２２は、赤外線ペンＰが発する赤外線をカメラ５４を用いて検出することによって、ユーザーがスクリーンＳＣＲ上の編集画像領域ＥＤＦに対して描画行為を行っているか否かを判断する（ステップＳ１３２）。描画行為が行われていると判断した場合には（ステップＳ１３２：ＹＥＳ）、ＣＰＵ２２は、ユーザーが行う描画行為の認識を行う（ステップＳ１３４）。具体的には、ＣＰＵ２２は、カメラ５４を制御してスクリーンＳＣＲおよびその近傍を所定のインターバルで撮像する。ＣＰＵ２２は、撮像画像から赤外線ペンＰが発する赤外線の軌跡を認識し、認識した軌跡を座標データに変換する。
【００４８】
描画行為認識後、ＣＰＵ２２は、描画画像生成部２６の機能として、認識した描画行為に基づいて描画画像を生成する（ステップＳ１３６）。具体的には、赤外線ペンＰが発する赤外線の軌跡から得た座標データに基づいて線画を生成する。その際、事前にユーザーが所定のツール機能を選択している場合には、そのツール機能に応じた線画を生成する。例えば、線画のタイプとして毛筆が選択され、線画の色として赤が選択されている場合には、ＣＰＵ２２がツール制御部３０の機能として、赤色の毛筆の線画からなる描画画像を生成する。描画画像生成後、ＣＰＵ２２は、設定した基画像に描画画像を重畳する（ステップＳ１３８）。
【００４９】
その後、ＣＰＵ２２は、ユーザーが素材画像を編集画像に挿入する操作を行ったか否かを確認する（ステップＳ１４０）。具体的には、ＣＰＵ２２は、ユーザーが素材画像表示領域ＭＴＦにサムネイル表示された素材を赤外線ペンＰで選択したかを確認する。ユーザーによって素材画像が選択されている場合には（ステップＳ１４０：ＹＥＳ）、ＣＰＵ２２は、予め画像記憶部４４に記憶されている素材画像の中からユーザーが選択した素材画像を読み出し、ステップ１４０までに生成した画像（ステップＳ１３２において「ＹＥＳ」の場合は基画像と描画画像とを重畳した画像／「ＮＯ」の場合は基画像）との重畳を行い、編集画像を生成する（ステップＳ１４２）。その後、ＣＰＵ２２は、編集画像生成処理を終了する。
【００５０】
一方、ユーザーによって素材画像が選択されていない場合には（ステップＳ１４０：ＮＯ）、ＣＰＵ２２は、ステップ１４０までに生成した画像を編集画像として設定し、編集画像生成処理を終了する。なお、画像記憶部４４に記憶されている素材画像は、ＣＰＵ２２が、素材画像として用いる目的で、入力ＩＦ５０または入力ＩＦ７４を介して接続された入力ソースから予め取得し、画像記憶部４４に記憶した画像である。ＣＰＵ２２による画像記憶部４４への素材画像の記憶は、ユーザーの指示によって行われる。ＣＰＵ２２はこのようにして編集画像生成処理を行う。
【００５１】
次に、画像記憶処理（図６：ステップＳ１６０）について説明する。図９は、ＣＰＵ２２が行う画像記憶処理の流れを示すフローチャートである。画像記憶処理を開始すると、ＣＰＵ２２は、編集画像を、ユーザーが指定したデータフォーマット（以下、指定フォーマットとも呼ぶ）に変換する（ステップＳ１６１）。ユーザーによるデータフォーマットの指定は、ユーザーが保存ボタン８６を操作した際に、ＣＰＵ２２が、幾つかのデータフォーマットをユーザーに選択可能に表示画像として投写表示し、ユーザーが赤外線ペンＰを用いて選択することにより行う。ユーザーが選択可能なデータフォーマットとして、ＰＮＧ、ＰＤＦ、ＪＰＥＧに加え、プロジェクター２０によって再編集可能な固有のフォーマット（以下、固有フォーマットとも呼ぶ）を採用する。また、これらのフォーマット以外の、種々のデータフォーマットを採用してもよい。ユーザーはこれらのデータフォーマットから選択する。ＣＰＵ２２は、編集画像を指定フォーマットのデータに変換後、画像記憶部４４に保存し（ステップＳ１６２）、画像記憶処理を終了する。
【００５２】
次に、出力制御処理（図６：ステップＳ１７０）について説明する。図１０は、ＣＰＵ２２が出力制御部４０の機能として行う出力制御処理の流れを示すフローチャートである。出力制御処理を開始すると、ＣＰＵ２２は、ユーザーによる、印刷ボタン８４または印刷アイコン、ツール表示領域ＴＬＦに表示されている外部記憶アイコン、メール送信アイコンの各操作に応じて、各々に処理を行う（ステップＳ１７１）。
【００５３】
ユーザーが印刷ボタン８４または印刷アイコンを操作した場合には（ステップＳ１７１：印刷）、ＣＰＵ２２は、編集画像を印刷データに変換する（ステップＳ１７２）。具体的には、ＣＰＵ２２は出力制御部４０の機能としてプリンタードライバーの機能を備えており、編集画像を、プロジェクター２０に接続されているプリンターＰＲで印刷可能な印刷データに変換する。なお、プロジェクター２０に接続されたプリンターＰＲに適合したプリンタードライバーは、予め出力制御部４０の機能として備えているとしてもよいし、プリンターＰＲと接続時にプリンターＰＲから取得するとしてもよいし、外部記憶装置やＬＡＮを介して取得するなど、プロジェクター２０の外部から取得するとしてもよい。
【００５４】
編集画像を印刷データに変換後、ＣＰＵ２２は、印刷データをプリンターＰＲに出力する（ステップＳ１７３）。印刷装置は、プロジェクター２０から印刷データを受信し印刷処理を行う。上記説明においては編集中の編集画像を印刷する場合について説明したが、プロジェクター２０は、画像記憶処理（図９）によって画像記憶部４４に記憶した描画済画像を読み出して印刷することも可能である。具体的には、描画済画像領域ＲＳＦにサムネイル表示されている描画済画像を、ユーザーが赤外線ペンＰで選択すると、ＣＰＵ２２が画像記憶部４４から読み出して編集画像領域ＥＤＦに表示する。その後、ユーザーが印刷ボタン８４を操作すると、ＣＰＵ２２が上記説明したステップＳ１７２およびのステップＳ１７３の処理を行うことによって実現する。
【００５５】
その他、ＣＰＵ２２は、編集画像を印刷データに変換する際に、印刷を行った後の印刷画像において基画像と描画画像とが視覚的に区別可能なように、データ変換を行うとしてもよい。例えば、描画画像を示す線画の輪郭線を破線や白線にすることや、描画画像の色を特定の色に統一することや、基画像の彩度や明度を描画画像と比較して上げ下げするなど、種々の方法によって、基画像と描画画像との視覚的な区別を可能とすることができる。
【００５６】
また、ＣＰＵ２２は、編集画像を印刷データに変換する際に、印刷を行った後の印刷画像において、ユーザーが描画を行った時系列に従って描画画像を箇条的に表示するとしてもよい。この場合、ＣＰＵ２２が、生成された描画画像と、その生成時間とを対応付けてＥＥＰＲＯＭ４２に記憶しておき、印刷データへの変換時に、生成時間に基づいて各描画画像を箇条的に表示した印刷データを生成することによって実現することができる。ＣＰＵ２２は、このような種々の方法によって編集画像に基づいた印刷を行うことができる。ユーザーが、会議の内容を時系列に沿って振り返りたい場合には有効である。
【００５７】
ユーザーが外部記憶アイコンを操作した場合には（ステップＳ１７１：外部記憶）、ＣＰＵ２２は、生成した編集画像を、ユーザーが指定した指定フォーマットに変換する（ステップＳ１７４）。ユーザーによるデータフォーマットの指定は、ユーザーが外部記憶アイコンを操作した際に、ＣＰＵ２２が、データフォーマットをユーザーに選択可能に表示画像として投写表示し、ユーザーが赤外線ペンＰを用いて選択することにより行う。ユーザーが選択可能なデータフォーマットは、ＰＮＧ、ＰＤＦ、ＪＰＥＧ、固有フォーマットである。また、これらのフォーマット以外の、種々のデータフォーマットを採用してもよい。
【００５８】
編集画像を指定フォーマットのデータに変換後、ＣＰＵ２２は、変換後のデータを出力ＩＦ５２または出力ＩＦ７５に接続されたフラッシュメモリーＭＲに出力する（ステップＳ１７５）。フラッシュメモリーＭＲは、プロジェクター２０から出力されたデータを受信してデータの記録を行う。フラッシュメモリーＭＲにおける保存先は、ユーザーが指定フォーマットを選択後に、ＣＰＵ２２がダイアログボックスを表示画像として投写表示し、フラッシュメモリーＭＲ内の保存先をユーザーが選択可能とする。その他、予め、デフォルトの保存先が設定されているとしてもよい。
【００５９】
また、プロジェクター２０は、画像記憶処理（図９）において画像記憶部４４に記憶した保存済みの編集画像を読み出してフラッシュメモリーＭＲに記録することも可能である。具体的には、描画済画像領域ＲＳＦにサムネイル表示されている保存済みの編集画像を、ユーザーが赤外線ペンＰを用いて編集画像領域ＥＤＦに読み出し、外部記憶アイコンを操作すると、ＣＰＵ２２が上記説明したステップＳ１７４およびステップＳ１７５の処理を行うことによって実現する。その他、描画済画像領域ＲＳＦにサムネイル表示されている保存済みの編集画像を編集画像領域ＥＤＦに読み出すことなく、直接的にフラッシュメモリーＭＲに出力するとしてもよい。ユーザーがフラッシュメモリーＭＲに記憶したい保存済み編集画像に対応するサムネイル表示画像の選択後、外部記憶アイコンを操作すると、ＣＰＵ２２が、選択された保存済み編集画像をフラッシュメモリーＭＲに出力することによって実現することができる。
【００６０】
一方、ユーザーがメール送信アイコンを操作した場合には（ステップＳ１７１：メール送信）、ＣＰＵ２２は、ステップＳ１７４と同様に、生成した編集画像を、ユーザーが指定した指定フォーマットに変換する（ステップＳ１７６）。そして、データ変換後の編集画像のデータをメールに添付し（ステップＳ１７７）、サーバー装置ＳＶを介してメール送信を行う（ステップＳ１７８）。
【００６１】
具体的には、ＣＰＵ２２は、出力制御部４０の機能としてメーラーの機能を備えており、編集画像のデータの添付および送信を可能とする。送信先として用いるメールアドレスは、特定のデータフォーマット（例えば、ｖＣａｒｄ（登録商標））のメールアドレスデータをＬＡＮやフラッシュメモリーＭＲを介して外部から取得し、メーラーの起動後に、ユーザーに選択可能に表示画像として表示する。ユーザーは、表示画像として表示された一または複数のメールアドレスの中から、所望のメールアドレスを赤外線ペンＰを用いて選択する。メール添付する編集画像については、編集中の編集画像の添付に限らず、描画済画像領域ＲＳＦにサムネイル表示されている保存済み編集画像（描画済画像）の中からユーザーが指定した画像をメール添付することも可能である。この場合、ＣＰＵ２２は、ユーザーが描画済画像領域ＲＳＦから指定した描画済画像を画像記憶部４４から読み出し、指定フォーマットにデータ変換してメールへの添付処理を行う。ＣＰＵ２２はこのようにして出力制御処理を行う。
【００６２】
以上説明したように、本実施形態におけるプロジェクター２０は、投写表示された基画像に対して、ユーザーが描画行為および編集行為を行った場合に、描画行為および編集行為を認識し、描画画像の生成・編集、および基画像を背景画像とした編集画像を生成し、リアルタイムに投写表示することができる。また、プロジェクター２０は、編集画像を記憶することができる。従って、ユーザーは、このような機能を有する装置（例えば、コンピューターＰＣ）を別途用意することを必要とせず、比較的簡易な作業によって、プロジェクター２０を会議に適したホワイトボードして用いることができる。
【００６３】
また、プロジェクター２０は、スクリーンＳＣＲへの投写に用いた編集画像をそのままの内容で画像記憶部４４に記憶し、かつ、記憶した描画済画像を再度読み出すことができる。従って、ユーザーは、プロジェクター２０に記録した編集画像を、ディスカッションの内容を記録した議事録として用いることができる。また、プロジェクター２０は、編集画像を印刷、出力外部記憶装置への記憶、メール送信できるので、ユーザーは、描画および編集したそのままの内容の編集画像を、種々の方法で保存、配布をすることができる。すなわち、プロジェクター２０に記録した編集画像を、複数のユーザーで、種々の態様で共有することができる。
【００６４】
プロジェクター２０は、外部から取得した静止画像や動画のフレーム画像を基画像として用いることができる。また、プロジェクター２０は、外部から取得した静止画像や動画のフレーム画像を素材画像として用いることができる。従って、ユーザーの所望の画像を投写表示し、その所望の画像の上にユーザーが描画を行うことや、外部から取得した画像を編集画像の一部として用いて描画・編集を行うことを、そのような機能を有するコンピューターＰＣを別途用意せずに行うことができる。
【００６５】
プロジェクター２０は、図４に示した起動制御処理を行うので、ユーザーが簡易な操作ですぐにＷＢモードを利用することを可能にする。また、プロジェクター２０は、ユーザーが電源をＯＦＦにした際、編集画像が保存されていない場合には、自動的に編集画像を画像記憶部４４に記憶するので、ユーザーが編集画像の保存操作を失念して電源をＯＦＦにした場合にも、編集画像を保持することができる。プロジェクター２０は、操作パネル７０によって操作可能であるので、図１に示したようにプロジェクター２０が壁掛け式のプロジェクターである場合でも、容易に操作を行うことができる。
【００６６】
Ｂ．変形例：
なお、この発明は上記の実施形態や実施形態に限られるものではなく、その要旨を逸脱しない範囲において種々の態様において実施することが可能であり、例えば次のような変形も可能である。
（Ｂ１）変形例１：
上記実施形態においては、プロジェクター２０と操作パネル７０とは有線によって接続されるとしたが、無線ＬＡＮやブルートォースなどの無線によって接続されるとしてもよい。また、プロジェクター２０と操作パネル７０との接続において、所定の認証手段を備えるとしてもよい。例えば、プロジェクター２０と操作パネル７０とが有線によって接続される場合には、本体側接続ＩＦ５８とパネル側接続ＩＦ７１、または、接続端子７２と接続端子７３とが、１組ごとに固有の形状を有しており、互いの形状が合致した場合のみ接続される。すなわち、異なる組のプロジェクター２０と操作パネル７０とは接続されない。
【００６７】
プロジェクター２０と操作パネル７０とが無線によって接続される場合には、本体側接続ＩＦ５８とパネル側接続ＩＦ７１とが１組ごとに固有の信号によって通信を行う。すなわち、異なる組の本体側接続ＩＦ５８とパネル側接続ＩＦ７１とは通信を行うことができず、実質的に接続されない。
【００６８】
この他、プロジェクター２０に操作パネル７０を接続して使用するために、暗証番号入力、指紋認証、ＲＦＩＤカードによる認証、鍵による認証など、種々の認証手段を採用することができる。この場合、暗証番号入力用のテンキー、指紋認証装置、ＲＦＲＤ読み取り装置、キーボックスなど、各認証手段に応じた機能部を操作パネル７０またはプロジェクター２０に設けることによって実現することができる。また、暗証番号入力は投写表示されたテンキー画像に、ユーザーが赤外線ペンＰを用いて入力するとしてもよい。
【００６９】
このようにすることで、同機種のプロジェクターに用いられる操作パネルを用いて、同機種の他のプロジェクターの操作をすることを防止することができる。例えば、プロジェクター２０に編集画像を記憶している場合、プロジェクター２０の正当なユーザーが、プロジェクター２０と操作パネル７０とを分離し、操作パネル７０を所持しているとした場合に、第三者が、当該プロジェクター２０と接続されるべき操作パネル７０とは異なる操作パネル７０を用いて、プロジェクター２０に記録されている編集画像を取得するといった行為を防止することができ、セキュリティーを確保することができる。
【００７０】
（Ｂ２）変形例２：
上記実施形態においては、プロジェクター２０の電源をＯＦＦにした際に、編集画像を記憶するとしたが（図６：ステップＳ１９４→ステップＳ１９６）、プロジェクター２０の電源をＯＦＦにした際に、画像記憶部４４に記憶されている編集画像を消去するとしてもよい。このようにすることで、再度の電源投入時に、以前に生成した編集画像の内容を他人に知られることを防ぐことができ、セキュリティーを確保することができる。
【００７１】
（Ｂ３）変形例３：
上記実施形態においては、プロジェクター２０は、赤外線ペンＰが発する赤外線を検知してユーザーの描画行為を認識するとしたが、それに限ることなく、プロジェクター２０に接続されたマウスやタブレットなどのポインティングデバイスからの取得した座標情報を用いて描画行為を認識するとしてもよい。また、ユーザーの動作自体をセンサーで認識し座標情報に変換する動作認識装置から取得した座標情報に基づいて、描画行為を認識するとしてもよい。その他、スクリーンＳＣＲとして機能する専用のボードによって、ユーザーの描画行為を認識するとしてもよい。具体的には、タッチパネルの機能を有する専用ボードとプロジェクター２０とが接続されており、ユーザーが専用ボード上に行った描画行為に対応する座標情報を描画認識部２４が取得し、取得した座標情報に基づいて描画画像生成部２６が描画画像を生成するとしてもよい。このようにしても、上記実施形態と同様の効果を得ることができる。
【００７２】
（Ｂ４）変形例４：
上記実施形態においては、プロジェクター２０として壁掛け式の短焦点型プロジェクターを採用したが、移動式タイプのプロジェクターを採用するとしてもよい。この場合、プロジェクターとスクリーンＳＣＲとの相対位置が毎回異なる場合があるので、電源投入時に、相対位置を認識するためのキャリブレーションを行うことによって、赤外線ペンＰを用いた描画行為の認識を精度良く行うことができる。
【００７３】
（Ｂ５）変形例５：
上記実施形態における投写表示システム１０において、入力ＩＦ５０、入力ＩＦ７４、出力ＩＦ５２、出力ＩＦ７５に接続されている入出力デバイスの一部が接続されていないとしてもよい。また、上記実施形態において説明した入力力デバイス以外のデバイスが、プロジェクター２０と接続されているとしてもよい。例えば、書画カメラや携帯電話（スマートフォンを含む）など、種々の入出力デバイスが接続されているとしてもよい。
【符号の説明】
【００７４】
１０…投写表示システム
２０…プロジェクター
２１…バス
２２…ＣＰＵ
２４…描画認識部
２６…描画画像生成部
２８…編集画像生成部
３０…ツール制御部
３２…画像入力処理部
３４…静止画像取得部
３６…フレーム画像取得部
３８…表示画像制御部
３９…画像記憶処理部
４０…出力制御部
４１…起動制御部
４２…ＥＥＰＲＯＭ
４４…画像記憶部
４５…ＲＡＭ
４６…ＲＯＭ
４８…操作部
５０，７４…入力ＩＦ
５２，７５…出力ＩＦ
５４…カメラ
５６…投写光学部
５８…本体側接続ＩＦ
７０…操作パネル
７２…接続端子
７３…接続端子
７８…ＷＢモード起動ボタン
８０…入力ソース検出用ボタン
８２…キャプチャ用ボタン
８４…印刷ボタン
８６…保存ボタン
７１…パネル側接続ＩＦ
ＣＭ…デジタルカメラ
ＰＲ…プリンター
ＭＲ…フラッシュメモリー
ＳＶ…サーバー装置
ＣＶ…ケーブル
ＭＶ…動画データ再生装置
ＥＤＦ…編集画像領域
ＴＬＦ…ツール表示領域
ＲＳＦ…描画済画像領域
ＭＴＦ…素材画像表示領域
ＤＳＰ…ＷＢ用表示画像
ＳＣＲ…スクリーン
ＳＣＮ…スキャナー
ＩＮＴ…インターネット
Ｐ…赤外線ペン
【図１】
0005998620.tif 000002
【図２】
0005998620.tif 000003
【図３】
0005998620.tif 000004
【図４】
0005998620.tif 000005
【図５】
0005998620.tif 000006
【図６】
0005998620.tif 000007
【図７】
0005998620.tif 000008
【図８】
0005998620.tif 000009
【図９】
0005998620.tif 000010
【図１０】
0005998620.tif 000011